(57)【要約】  【課題】コントローラ側から画像出力装置側へ正しいデータ量を送信できなかった場合や、別画像の色成分が混入されてしまって送信される場合の不具合を検出する。  【解決手段】カラー画像出力装置３０に対して各色ごとの画像データを送信するコントローラ１０を備え、このコントローラ１０は、画像データの不具合確認のための付帯情報を各色ごとに生成する付帯情報生成部１４と、この付帯情報生成部１４により生成された付帯情報と画像データとを用いて演算を行い、各色ごとに画像識別コードデータを生成する画像識別コードデータ生成部１７と、この画像識別コードデータ生成部１７により生成された画像識別コードデータと画像データとをカラー画像出力装置３０に対して送信するデータ送信部１８とを備えた。  【選択図】図２
2007142769.tif 000002
【特許請求の範囲】
【請求項１】
画像出力装置に対して各色ごとの画像データを送信する装置であって、
前記画像データの不具合確認のための付帯情報を各色ごとに生成する情報生成手段と、
前記情報生成手段により生成された前記付帯情報と前記画像データとを用いて演算を行い、各色ごとに画像識別コードデータを生成するコードデータ生成手段と、
前記コードデータ生成手段により生成された前記画像識別コードデータと前記画像データとを前記画像出力装置に対して送信する送信手段と
を含む装置。
【請求項２】
前記情報生成手段により生成された前記付帯情報と前記画像データとの組み合わせを各色ごとに確認する確認手段を更に備え、
前記コードデータ生成手段は、前記確認手段により確認された前記画像データと前記付帯情報とを用いて演算を行うことを特徴とする請求項１記載の装置。
【請求項３】
前記情報生成手段は、前記画像データの色情報に関する情報、ページ番号に関する情報、および有効画像データ量に関する情報の少なくとも１つを前記付帯情報として生成することを特徴とする請求項１記載の装置。
【請求項４】
前記コードデータ生成手段は、各色の画像データに対して１画素毎に演算を行って１ラインごとの確認値を算出し、各ラインで算出された当該確認値から全体の確認値を算出し、算出された当該全体の確認値に前記付帯情報を加味した演算を施して前記画像識別コードデータを生成することを特徴とする請求項１記載の装置。
【請求項５】
コントローラから各色ごとの画像データを取得し、取得した当該画像データにかかる画像を出力する画像出力装置であって、
前記コントローラから前記画像データを受信する画像データ受信手段と、
前記画像データの不具合確認のための各色ごとの付帯情報と当該画像データとを用いて前記コントローラによって生成された各色ごとの画像識別コードデータを、当該コントローラから受信するコードデータ受信手段と、
前記コードデータ受信手段により受信した前記画像識別コードデータを解析し、前記画像データの前記付帯情報または当該画像データの他の付帯情報を用いて得られる確認情報と、当該画像データ自身から得られる情報とを比較して当該画像データの正/否を確認する確認手段と、
前記確認手段による確認に基づいて画像を出力する出力手段と
を含む画像出力装置。
【請求項６】
前記確認手段は、前記確認情報を期待値として、前記画像データ受信手段により前記コントローラから受信される各色ごとの前記画像データをリアルタイムで確認することを特徴とする請求項５記載の画像出力装置。
【請求項７】
前記確認手段による前記期待値との一致/不一致の確認により、前記出力手段への画像データの転送を制御することを特徴とする請求項６記載の画像出力装置。
【請求項８】
前記コードデータ受信手段は、前記出力手段により個別に画像形成される各色ごとに異なった情報として前記画像識別コードデータを受信し、
前記確認手段は、前記色ごとに正しい画像データが受信されたことを確認することを特徴とする請求項５記載の画像出力装置。
【請求項９】
前記付帯情報は前記コントローラから出力される情報であり、前記他の付帯情報は画像出力装置側にて推定して得られる情報であることを特徴とする請求項５記載の画像出力装置。
【請求項１０】
コントローラから画像出力装置に画像データを送信する際の送信不具合を確認する方法であって、
前記画像データの不具合確認のための付帯情報を各色ごとに生成するステップ、
生成された前記付帯情報と対応する色ごとの前記画像データとを用いて演算を行い、各色ごとの画像識別コードデータを生成するステップ、
生成された前記画像識別コードデータを前記画像出力装置に対して送信するステップ、
前記画像データを前記画像出力装置に対して送信するステップ
を含む方法。
【請求項１１】
生成された前記付帯情報と前記画像データとの組み合わせを各色ごとに確認するステップを更に備え、
前記画像識別コードデータを生成するステップは、前記確認するステップにより確認された各色ごとの前記画像データと前記付帯情報とを用いて演算を行うことを特徴とする請求項１０記載の方法。
【請求項１２】
前記画像識別コードデータを生成するステップは、各色ごとに、前記画像データの色情報に関する情報、ページ番号に関する情報、および有効画像データ量に関する情報の少なくとも１つを前記付帯情報として生成することを特徴とする請求項１０記載の方法。
【請求項１３】
前記画像識別コードデータは、前記画像データを送信する送信ラインとは別経路のラインで送信することを特徴とする請求項１０記載の方法。
【請求項１４】
前記画像識別コードデータを受信するステップ、
受信した前記画像識別コードデータを解析し、前記画像データ固有の付帯情報を用いて確認情報を得るステップ、
前記画像データを受信するステップ、
受信した前記画像データ自身から得られる情報と、前記確認情報とを比較して当該画像データが正しく受信されたことを確認するステップ
を更に含む請求項１０記載の方法。
【請求項１５】
前記確認するステップは、前記確認情報を期待値として、前記コントローラから受信される前記画像データをリアルタイムで確認することを特徴とする請求項１０記載の方法。
【発明の詳細な説明】
【技術分野】
【０００１】
本発明は、プリンタなどの画像出力装置にてプリント画像を出力する画像出力システム等に係り、より詳しくは、コントローラから画像出力装置に対して画像データを送出する画像出力システム等に関する。
【背景技術】
【０００２】
例えばカラー画像を出力するカラー画像出力システムでは、デジタルカラープリンタなどのカラー画像出力装置にてカラープリント画像を出力するために、カラー画像出力装置用の色信号からなる画像データがコントローラからカラー画像出力装置に対して出力される。例えば電子写真方式やインクジェット方式を採用するカラー画像出力装置に対しては、例えばＹ（イエロー）、Ｍ（マゼンタ）、Ｃ（シアン）、Ｋ（黒）の４色の色成分について、各々の画像データがコントローラから出力される。このＹＭＣＫのデータのうち、１つでもデータ量が間違っていたり、別の画像の色成分が混入された場合には、正常な出力画像が得られず、「色ずれ」や「色抜け」の不具合が発生してしまう。
【０００３】
公報記載の従来技術として、例えばページシンク（ＰＳＹＮＣ）信号の欠落およびノイズの重畳による異常動作を防止するために、転送される各色のＢｉ信号中に誤り検出符号用フレームを設け、ＰＳＹＮＣ信号から所定時間または所定画素数、データを検査する技術が存在している（例えば、特許文献１参照。）。
【０００４】
【特許文献１】特開平７−３８７５０号公報
【発明の開示】
【発明が解決しようとする課題】
【０００５】
ここで、この特許文献１に記載の技術によれば、イメージトリガ（ＴＲ０）が４回同じタイミングで発生することで４色のデータを感光体に載せ、カラー画像を出力する４サイクルのカラー複写機にて、このトリガ信号の欠落およびノイズの重畳が発生した場合の出力画像の「色ずれ」発生を防止できる。しかしながら、この特許文献１に記載の技術では、トリガの欠落やノイズによるトリガタイミングの違い等の不具合は検出できるが、例えばコントローラ側から各色成分の画像データを送信する際に、正しいデータ量を送信できなかった場合には検出ができなくなる。また、コントローラ側から別画像の色成分が混入されてしまう場合にも、不具合を検出することができない。
【０００６】
図７（ａ）〜（ｄ）は、コントローラ側からカラー画像出力装置に対して出力される画像データ出力例を示した図である。ここでは、４サイクル系の画像出力タイミングが示されており、各上段にて出力クロック、各下段にてＹＭＣＫの画像データの出力が示されている。図７（ａ）は正常な場合の出力例を示している。一方、図７（ｂ）〜（ｄ）は、コントローラ側から異常データが送出された例が示されている。図７（ｂ）はＭ（マゼンタ）色のデータ量が極端に多い場合であり、図７（ｃ）はＭ色のデータ量が極端に少ない場合である。更に図７（ｄ）では、本来、Ｍ１のデータが出力されるはずであるのに、別画像であるＭ２のデータが混入してしまった場合が示されている。これらの不具合について、従来の技術では検出することが困難であった。
【０００７】
本発明は、以上のような課題を解決するためになされたものであって、その目的とするところは、コントローラ側から画像出力装置側へ正しいデータ量を送信できなかった場合の不具合を検出することにある。
また他の目的は、コントローラ側から画像出力装置側へ別画像の色成分が混入されてしまう場合の不具合を検出することにある。
更に他の目的は、上記のような不具合の検出とともにプリント動作を停止させ、無駄な出力プリントを発生させないようにする画像出力装置を提供することにある。
【課題を解決するための手段】
【０００８】
かかる目的のもと、本発明は、画像出力装置に対して各色ごとの画像データを送信する装置であって、この画像データの不具合確認のための付帯情報を各色ごとに生成する情報生成手段と、この情報生成手段により生成された付帯情報と画像データとを用いて演算を行い、各色ごとに画像識別コードデータを生成するコードデータ生成手段と、このコードデータ生成手段により生成された画像識別コードデータと画像データとを画像出力装置に対して送信する送信手段とを含む。
【０００９】
ここで、この情報生成手段により生成された付帯情報と画像データとの組み合わせを各色ごとに確認する確認手段を更に備え、コードデータ生成手段は、確認手段により確認された画像データと付帯情報とを用いて演算を行うことを特徴とすることができる。
また、この情報生成手段は、画像データの色情報に関する情報、ページ番号に関する情報、および有効画像データ量に関する情報の少なくとも１つを付帯情報として生成することを特徴とすることができる。
更に、このコードデータ生成手段は、各色の画像データに対して１画素毎に演算を行って１ラインごとの確認値を算出し、各ラインで算出された確認値から全体の確認値を算出し、算出された全体の確認値に付帯情報を加味した演算を施して画像識別コードデータを生成することを特徴とすることができる。
【００１０】
一方、本発明は、コントローラから各色ごとの画像データを取得し、取得した画像データにかかる画像を出力する画像出力装置であって、コントローラから画像データを受信する画像データ受信手段と、画像データの不具合確認のための各色ごとの付帯情報と画像データとを用いてコントローラによって生成された各色ごとの画像識別コードデータを、コントローラから受信するコードデータ受信手段と、このコードデータ受信手段により受信した画像識別コードデータを解析し、コントローラによって生成された画像データの付帯情報、または画像データの他の付帯情報を用いて得られる確認情報と、この画像データ自身から得られる情報とを比較して画像データの正/否を確認する確認手段と、この確認手段による確認に基づいて画像を出力する出力手段とを含む。
【００１１】
ここで、この確認手段は、確認情報を期待値として、画像データ受信手段によりコントローラから受信される各色ごとの画像データをリアルタイムで確認することを特徴とすることができる。また、確認手段による期待値との一致/不一致の確認により、出力手段への画像データの転送を制御することを特徴とすることができる。
【００１２】
更に、このコードデータ受信手段は、出力手段により個別に画像形成される各色ごとに異なった情報として画像識別コードデータを受信し、確認手段は、色ごとに正しい画像データが受信されたことを確認することを特徴とすることができる。また更に、この付帯情報はコントローラから出力される情報であり、他の付帯情報は画像出力装置側にて推定して得られる情報であることを特徴とすることができる。
【００１３】
他の観点から捉えると、本発明は、コントローラから画像出力装置に画像データを送信する際の送信不具合を確認する方法であって、画像データの不具合確認のための付帯情報を各色ごとに生成するステップと、生成された付帯情報と対応する色ごとの画像データとを用いて演算を行い、各色ごとの画像識別コードデータを生成するステップと、生成された画像識別コードデータを画像出力装置に対して送信するステップと、画像データを画像出力装置に対して送信するステップとを含む。
【００１４】
ここで、この生成された付帯情報と画像データとの組み合わせを各色ごとに確認するステップを更に備え、画像識別コードデータを生成するステップは、確認するステップにより確認された各色ごとの画像データと付帯情報とを用いて演算を行うことを特徴とする。
また、この画像識別コードデータは、画像データを送信する送信ラインとは別経路のラインで送信することを特徴とすれば、ラインケーブルに何らかの異常が発生した場合に、ケーブルの異常を容易に検出できる点から好ましい。
【００１５】
そして、この画像識別コードデータを受信するステップと、受信した画像識別コードデータを解析し、画像データ固有の付帯情報を用いて確認情報を得るステップと、画像データを受信するステップと、受信した画像データ自身から得られる情報と確認情報とを比較して画像データが正しく受信されたことを確認するステップとを更に含む。
そして、確認するステップは、確認情報を期待値として、コントローラから受信される画像データをリアルタイムで確認することを特徴とすることができる。
【発明の効果】
【００１６】
本発明によれば、２値系プリンタにおいても、文字/写真の画質の両立を図ることが可能となり、画質および生産性を向上させたシステムを提供することができる。
【発明を実施するための最良の形態】
【００１７】
以下、添付図面を参照し、本発明の実施の形態について詳細に説明する。
図１は、本実施の形態が適用されるカラー画像出力システムの一例を示した図である。この図１に示すカラー画像出力システムでは、イーサネット（登録商標）等のネットワーク１に、カラー画像を出力するためのコントローラ１０が接続されている。このコントローラ１０にはプリンタ等のカラー画像出力装置３０が接続されている。また、ネットワーク１には、プリント指示を出力するホストコンピュータであるクライアントＰＣ２が接続されている。このコントローラ１０は、例えばプリントサーバとして機能し、例えばＰＣ（パーソナルコンピュータ）を用いて実現される。また、コントローラ１０は、クライアントＰＣ２から出力されたＰＤＬ（ページ記述言語）をコマンド解釈し、ＰＤＬ指定の色信号（ＲＧＢ）からカラー画像出力装置３０の色信号（ＹＭＣＫ）に変換した画像データをカラー画像出力装置３０に出力するフロントエンドとして捉えることができる。
【００１８】
コントローラ１０とカラー画像出力装置３０とは、画像データを送受信する画像データ送信ライン２１と、画像識別コードデータ（後述）を送受信するコードデータ送信ライン２２とを介して接続されている。このように、画像識別コードデータを画像データとは別経路のラインで送信することで、コントローラ１０から実際の画像データを送信する画像データ送信ライン２１に何らかの異常が発生した場合に、ラインが異常であることを容易に検出することができる。但し、ラインの異常を検出する必要性が低ければ、ラインを分けずに同一のラインで、画像識別コードデータと画像データとを送信することも可能である。
【００１９】
図２は、コントローラ１０およびカラー画像出力装置３０の構成を示すブロック図である。まずコントローラ１０は、全体を制御するＣＰＵ１１と、制御用のプログラム等が格納されているメモリであるＲＯＭ１２と、ＣＰＵ１１の作業用のメモリであるＲＡＭ１３とを備えている。そしてＣＰＵ１１、ＲＯＭ１２、およびＲＡＭ１３によって制御される各機能として、画像データ固有の情報である付帯情報を生成する付帯情報生成部１４、カラー画像出力装置３０に提供する画像データを生成する画像データ生成部１５を備えている。この付帯情報としては、画像データの色情報、有効画像データ量、ページ番号（Ｎｏ.）等がある。また、付帯情報生成部１４および画像データ生成部１５によって生成された付帯情報および画像データの組み合わせを確認する組み合わせ確認部１６と、画像識別コードデータを生成する画像識別コードデータ生成部１７を備えている。更に、生成した画像識別コードデータおよび画像データをカラー画像出力装置３０へ送信するデータ送信部１８を備えている。
【００２０】
一方、カラー画像出力装置３０は、同様に、全体を制御するＣＰＵ３１と、制御用のプログラム等が格納されているメモリであるＲＯＭ３２と、ＣＰＵ３１の作業用のメモリであるＲＡＭ３３とを備えている。そしてＣＰＵ３１、ＲＯＭ３２、およびＲＡＭ３３によって制御される各機能として、コントローラ１０から画像識別コードデータおよび画像データを受信するデータ受信部３４と、送信されてきた画像識別コードデータを解析する画像識別コードデータ確認部３５とを備えている。また、送信されてくる画像データを確認する画像データ確認部３６を備えている。そして、これらの各機能によって確認された画像データをプリント出力するための印字装置４０を備えている。
【００２１】
次に、カラー画像出力システムによって実行される処理について説明する。
図３は、図２に示すコントローラ１０によって実行される処理を示すフローチャートである。コントローラ１０では、クライアントＰＣ２から、例えばＰＤＬ（ページ記述言語）のコマンド等による印刷指示を入力する（ステップ１０１）。コントローラ１０の画像データ生成部１５は、例えばＰＤＬ指定の色信号（ＲＧＢ）から印字装置４０の色信号（ＹＭＣＫ）に変換する等の各種画像処理を行い、カラー画像出力装置３０に送信する画像データを生成する（ステップ１０２）。この画像データの生成機能は、コントローラ１０の主たる機能である。また、画像データ生成部１５にて画像データを生成する際に、付帯情報生成部１４は、画像データの色情報、有効画像データ量、ページＮｏ.等の、画像データ固有の情報（付帯情報）を生成する（ステップ１０３）。生成される画像データ固有の情報については、ＣＰＵ１１から任意にアクセスすることが可能である。
【００２２】
その後、組み合わせ確認部１６は、ステップ１０２およびステップ１０３で生成された画像データと付帯情報との組み合わせが１対１に対応していることを確認/チェックする（ステップ１０４）。更に、画像識別コードデータ生成部１７は、組み合わせ確認部１６にて確認された画像データと付帯情報とを基に演算を行い、画像識別コードデータを生成する（ステップ１０５）。この具体的な演算方法については後述する。そして、データ送信部１８は、カラー画像出力装置３０とのやりとり（プロトコル）に併せて、生成した画像識別コードデータおよび画像データを、カラー画像出力装置３０へ送信して（ステップ１０６）、処理が終了する。
【００２３】
ここで、画像識別コードデータ生成部１７によって実行される、図３のステップ１０５に示す画像識別コードデータの生成方法について説明する。
図４（ａ）〜（ｃ）は、画像識別コードデータの生成方法の一例を示した図である。図４（ａ），（ｂ）では、画像識別コードデータの生成手順を、Ｙ色用CheckSUMを例にして示している。また、図４（ｃ）は、Ｙ,Ｍ,Ｃ,Ｋの４色分のCheckSUMを示しており、このデータをコントローラ１０からカラー画像出力装置３０へ送信する。
尚、図４に示す例では、演算方法としてＸＯＲの論理演算を用いているが、それ以外の方法でも良い。
【００２４】
図５は、画像識別コードデータの生成方法の処理の流れを示したフローチャートである。図４（ａ）〜（ｃ）に示す例を用いて図５に示す処理の流れを説明する。画像識別コードデータ生成部１７は、まず画像データ生成部１５で生成されたＹ色画像データの主走査方向の１画素に演算を行い、１ラインごとのCheckSUM値を生成する（ステップ２０１）。図４（ａ）に示す例では、１画素ごとにＸＯＲの論理演算を行い、１ライン目のCheckSUM値として“AAH”、２ライン目のCheckSUM値として“BBH”を算出している。画像識別コードデータ生成部１７は、次に、各ラインで算出されたCheckSUM値について副走査ごとに演算を実施し（ステップ２０２）、１ライン目のCheckSUM値から最終ラインのCheckSUM値を演算したTotal-CheckSUMを生成する（ステップ２０３）。図４（ａ）に示す例では、各ライン毎のCheckSUM値にＸＯＲの論理演算を行い、最終ライン目のCheckSUM値である“BBH”まで演算を行って、Total-CheckSUMとして“77H”を算出している。
【００２５】
その後、画像識別コードデータ生成部１７は、Total-CheckSUM値に付帯情報生成部１４で生成された付帯情報を加味した演算を実施し、Ｙ色用CheckSUMを生成する（ステップ２０４）。図４（ｂ）には、Total-CheckSUM値である“77H”に、付帯情報としてＹ色の色情報、有効画像データ、ページＮｏ．を演算した結果がＹ色用CheckSUM値とされる例が示されている。画像識別コードデータ生成部１７は、上記ステップ２０１〜ステップ２０４と同様な処理を、Ｍ色画像データ、Ｃ色画像データ、およびＫ色画像データについて実施し、Ｍ色用CheckSUM、Ｃ色用CheckSUM、およびＫ色用CheckSUMを生成し（ステップ２０５）、処理が終了する。
【００２６】
図４（ｃ）には、このようにして生成されたＹ，Ｍ，Ｃ，Ｋの４色分のCheckSUMが示されている。この画像識別コードデータは、図３のステップ１０６に示すように、データ送信部１８を介して、コントローラ１０からカラー画像出力装置３０へ送信される。送信するタイミングは、画像データを送信する前に実施する。その送信経路は、画像データと同一経路でも別経路でも構わない。
【００２７】
次に、カラー画像出力装置３０による確認処理について説明する。
図６は、カラー画像出力装置３０にて実行される確認処理の流れを示したフローチャートである。まず、データ受信部３４にて、コントローラ１０から画像データと画像識別コードデータとを受信する（ステップ３０１）。そして、画像識別コードデータ確認部３５にて、画像識別コードデータの解析がなされる（ステップ３０２）。この解析では、画像データの色情報、有効画像データ量、ページＮｏ.等、画像データ固有の付帯情報を用いて、画像データ自体の識別子（CheckSUM)とが抽出される（ステップ３０３）。
【００２８】
尚、これらの付帯情報については、カラー画像出力装置３０によって予想される値を用い、その値を用いて画像データ自体の識別子（CheckSUM)を抽出することもできる。この「予想される値」は、正常な画像データの送信がなされた場合にカラー画像出力装置３０にて推定できる値であり、例えば、通常、Ｙ，Ｍ，Ｃ，Ｋの順に画像データが送信される場合には、取得する画像データの順序によって色情報を推定することができる。また、同様に、有効画像データ量やページＮｏ.等についても、前後の画像データの送信内容から推定することが可能である。
【００２９】
その後、画像識別コードデータ確認部３５は、画像データ自体のCheckSUM値を期待値とし、送信されてくる画像データについて同一のCheckSUM値が生成されるかをリアルタイムで確認していく（ステップ３０４）。即ち、CheckSUM値が一致しているか否かが判断され（ステップ３０５）、一致していれば、画像データを印字装置４０へ転送する（ステップ３０６）。そして、データ受信部３４にて画像データの受信が終了したか否かが判断される（ステップ３０７）。受信が終了していなければステップ３０４へ戻って処理が繰り返される。受信が終了すると、処理が終了する。一方、ステップ３０５で、CheckSUM値が一致しなければ、印字装置４０への画像データ転送を中止し（ステップ３０８）、プリント動作を停止させて（ステップ３０９）、処理が終了する。
【００３０】
即ち、CheckSUM値が一致する場合は、推定や別個の方法などによって得られた付帯情報が画像識別コードデータに含まれる付帯情報と一致し、且つ、画像データ自体が正しく送信されたことを意味する。一方、CheckSUM値が一致しない場合は、推定や別個の方法などによって得られた付帯情報が画像識別コードデータに含まれる付帯情報と一致していないか、または、画像データ自体が正しく送信されていないことを意味する。このように、その原因までは特定できないものの、CheckSUM値の一致/不一致によって画像データの正/否を確認でき、画像データの送信に何らかの障害があったことを認識することができる。
【００３１】
印字装置４０では、例えば電子写真方式を採用する場合には、図示しない露光装置を用いて各色の画像データに基づく静電潜像を例えば各色に対応して設けられた感光体上に形成する。その後、各色のトナーを用いて静電潜像を現像し、用紙上に転写した後に定着を施すことによって、用紙上にプリント画像を形成する。ここで、本実施の形態では、印字装置４０に対して、正しいデータ量が送出された画像データ、および他の色成分が混入されていない画像データが出力されている。その結果、印字装置４０にて用紙に印刷されるプリント画像には、色ずれや色抜けなどの不具合が発生せず、正常なプリント画像を得ることが可能となる。そして、本実施の形態によれば、色ずれや色抜けなどを事前に検知し、印字装置４０のプリント動作を事前に停止させることが可能となる。その結果、無駄な用紙出力を低減することが可能となる。例えば、新聞の折り込み広告などの印刷を行う場合など、大量の印刷を行う場合であっても不適当な印刷画像の発生を防止でき、ユーザの満足度を大幅に高めることが可能となる。
【００３２】
尚、本実施の形態は、図１に示すようなシステムに限定されるものではない。また、システムにおけるコントローラ１０とカラー画像出力装置３０との位置付けについても、本実施の形態を他の形態に変更することが可能であることは言うまでもない。
【図面の簡単な説明】
【００３３】
【図１】本実施の形態が適用されるカラー画像出力システムの一例を示した図である。
【図２】コントローラおよびカラー画像出力装置の構成を示すブロック図である。
【図３】図２に示すコントローラによって実行される処理を示すフローチャートである。
【図４】（ａ）〜（ｃ）は、画像識別コードデータの生成方法の一例を示した図である。
【図５】画像識別コードデータの生成方法の処理の流れを示したフローチャートである。
【図６】カラー画像出力装置にて実行される確認処理の流れを示したフローチャートである。
【図７】（ａ）〜（ｄ）は、コントローラ側からカラー画像出力装置に対して出力される画像データ出力例を示した図である。
【符号の説明】
【００３４】
１…ネットワーク、２…クライアントＰＣ、１０…コントローラ、１４…付帯情報生成部、１５…画像データ生成部、１６…組み合わせ確認部、１７…画像識別コードデータ生成部、１８…データ送信部、３０…カラー画像出力装置、３４…データ受信部、３５…画像識別コードデータ確認部、３６…画像データ確認部、４０…印字装置
【図１】
2007142769.tif 000003
【図２】
2007142769.tif 000004
【図３】
2007142769.tif 000005
【図４】
2007142769.tif 000006
【図５】
2007142769.tif 000007
【図６】
2007142769.tif 000008
【図７】
2007142769.tif 000009